【手続補正書】
【提出日】平成27年11月26日(2015.11.26)
【手続補正１】
【補正対象書類名】明細書
【補正対象項目名】発明の名称
【補正方法】変更
【補正の内容】
【発明の名称】印刷方法、情報端末装置、及び、印刷装置
【手続補正２】
【補正対象書類名】明細書
【補正対象項目名】０００１
【補正方法】変更
【補正の内容】
【０００１】
本発明は、印刷方法、情報端末装置、及び、印刷装置に関する。
【手続補正３】
【補正対象書類名】明細書
【補正対象項目名】０００７
【補正方法】変更
【補正の内容】
【０００７】
本発明は、このような問題を解決するためのものであり、印刷処理の効率化を図ることができる、印刷方法、情報端末装置、及び、印刷装置を提供することを目的とする。
【手続補正４】
【補正対象書類名】明細書
【補正対象項目名】０００８
【補正方法】変更
【補正の内容】
【０００８】
上記目的を達成するため、本発明に係る印刷方法は、情報端末装置が送信した印刷ジョブに基づいて印刷装置に印刷を実行させる印刷方法であって、前記情報端末装置で印刷ジョブを生成する際に所定の印刷設定項目に対して予め定められたパラメータ値とは異なるパラメータ値がカスタムパラメータ値として設定された場合に、該カスタムパラメータ値に基づいてチェックサムデータを導出し、該導出したチェックサムデータを前記情報端末装置から前記印刷装置に送信する第１の送信ステップと、前記第１の送信ステップで送信され前記印刷装置が受信した前記チェックサムデータに基づいて該チェックサムデータに対応するカスタムパラメータ値が前記印刷装置に記憶されているか否かを検索し、該検索した結果を前記印刷装置から前記情報端末装置に送信する第２の送信ステップと、前記第２の送信ステップで送信され前記印刷装置が受信した前記結果が、前記カスタムパラメータ値が前記印刷装置に記憶されている旨であった場合に、前記カスタムパラメータ値に代えて前記チェックサムデータが含まれた印刷ジョブを前記情報端末装置から前記印刷装置に送信し、前記カスタムパラメータ値が前記印刷装置に記憶されていない旨であった場合には、前記カスタムパラメータ値が含まれた印刷ジョブを前記情報端末装置から前記印刷装置に送信する第３の送信ステップと、を有することを特徴とする。
また、上記目的を達成するため、本発明に係る情報端末装置は、印刷装置に印刷を実行させるべく印刷ジョブを前記印刷装置に送信する情報端末装置であって、印刷ジョブを生成する際に所定の印刷設定項目に対して予め定められたパラメータ値とは異なるパラメータ値がカスタムパラメータ値として設定された場合に、該カスタムパラメータ値に基づいてチェックサムデータを導出し、該導出したチェックサムデータを前記印刷装置に送信する第１の送信手段と、前記第１の送信手段により送信された前記チェックサムデータに基づく検索結果として、前記チェックサムデータに対応するカスタムパラメータ値が前記印刷装置に記憶されているか否かの情報を、前記印刷装置から受信する受信手段と、前記受信手段により受信した前記情報が、前記カスタムパラメータ値が前記印刷装置に記憶されている旨であった場合に、前記カスタムパラメータ値に代えて前記チェックサムデータが含まれた印刷ジョブを前記印刷装置に送信し、前記カスタムパラメータ値が前記印刷装置に記憶されていない旨であった場合には、前記カスタムパラメータ値が含まれた印刷ジョブを前記印刷装置に送信する第２の送信手段と、を備えたことを特徴とする。
また、上記目的を達成するため、本発明に係る印刷装置は、情報端末装置から送信されてきた印刷ジョブに基づいて印刷を実行する印刷装置であって、印刷ジョブの送信に先立って前記情報端末装置から送信されるチェックサムデータを受信する第１の受信手段と、前記第１の受信手段により受信した前記チェックサムデータに基づいて該チェックサムデータに対応するカスタムパラメータ値が記憶されているか否かを検索し、該検索した結果を前記情報端末装置に送信する送信手段と、前記送信手段により送信した結果に応答して前記情報端末装置から送信されてきた印刷ジョブを受信する第２の受信手段と、前記第２の受信手段により受信した印刷ジョブに、前記カスタムパラメータ値に代えて前記チェックサムデータが含まれていた場合には該チェックサムデータに対応したカスタムパラメータ値を読み出して該カスタムパラメータ値に基づいた印刷を実行させ、前記カスタムパラメータ値が含まれていた場合には該カスタムパラメータ値に基づいた印刷を実行させる制御手段と、を備えたことを特徴とする。
【手続補正５】
【補正対象書類名】明細書
【補正対象項目名】０００９
【補正方法】変更
【補正の内容】
【０００９】
本発明によれば、印刷処理の効率化を図ることができる。
【手続補正６】
【補正対象書類名】特許請求の範囲
【補正対象項目名】全文
【補正方法】変更
【補正の内容】
【特許請求の範囲】
【請求項１】
情報端末装置が送信した印刷ジョブに基づいて印刷装置に印刷を実行させる印刷方法であって、
前記情報端末装置で印刷ジョブを生成する際に所定の印刷設定項目に対して予め定められたパラメータ値とは異なるパラメータ値がカスタムパラメータ値として設定された場合に、該カスタムパラメータ値に基づいてチェックサムデータを導出し、該導出したチェックサムデータを前記情報端末装置から前記印刷装置に送信する第１の送信ステップと、
前記第１の送信ステップで送信され前記印刷装置が受信した前記チェックサムデータに基づいて該チェックサムデータに対応するカスタムパラメータ値が前記印刷装置に記憶されているか否かを検索し、該検索した結果を前記印刷装置から前記情報端末装置に送信する第２の送信ステップと、
前記第２の送信ステップで送信され前記印刷装置が受信した前記結果が、前記カスタムパラメータ値が前記印刷装置に記憶されている旨であった場合に、前記カスタムパラメータ値に代えて前記チェックサムデータが含まれた印刷ジョブを前記情報端末装置から前記印刷装置に送信し、前記カスタムパラメータ値が前記印刷装置に記憶されていない旨であった場合には、前記カスタムパラメータ値が含まれた印刷ジョブを前記情報端末装置から前記印刷装置に送信する第３の送信ステップと、
を有することを特徴とする印刷方法。
【請求項２】
前記第３の送信ステップで送信され前記印刷装置が受信した前記印刷ジョブに前記チェックサムデータが含まれていた場合に、前記印刷装置が前記チェックサムデータに対応した前記カスタムパラメータ値を読み出すとともに該読み出したカスタムパラメータ値に基づいて印刷を実行する印刷実行ステップを有することを特徴とする請求項１に記載の印刷方法。
【請求項３】
印刷装置に印刷を実行させるべく印刷ジョブを前記印刷装置に送信する情報端末装置であって、
印刷ジョブを生成する際に所定の印刷設定項目に対して予め定められたパラメータ値とは異なるパラメータ値がカスタムパラメータ値として設定された場合に、該カスタムパラメータ値に基づいてチェックサムデータを導出し、該導出したチェックサムデータを前記印刷装置に送信する第１の送信手段と、
前記第１の送信手段により送信された前記チェックサムデータに基づく検索結果として、前記チェックサムデータに対応するカスタムパラメータ値が前記印刷装置に記憶されているか否かの情報を、前記印刷装置から受信する受信手段と、
前記受信手段により受信した前記情報が、前記カスタムパラメータ値が前記印刷装置に記憶されている旨であった場合に、前記カスタムパラメータ値に代えて前記チェックサムデータが含まれた印刷ジョブを前記印刷装置に送信し、前記カスタムパラメータ値が前記印刷装置に記憶されていない旨であった場合には、前記カスタムパラメータ値が含まれた印刷ジョブを前記印刷装置に送信する第２の送信手段と、
を備えたことを特徴とする情報端末装置。
【請求項４】
情報端末装置から送信されてきた印刷ジョブに基づいて印刷を実行する印刷装置であって、
印刷ジョブの送信に先立って前記情報端末装置から送信されるチェックサムデータを受信する第１の受信手段と、
前記第１の受信手段により受信した前記チェックサムデータに基づいて該チェックサムデータに対応するカスタムパラメータ値が記憶されているか否かを検索し、該検索した結果を前記情報端末装置に送信する送信手段と、
前記送信手段により送信した結果に応答して前記情報端末装置から送信されてきた印刷ジョブを受信する第２の受信手段と、
前記第２の受信手段により受信した印刷ジョブに、前記カスタムパラメータ値に代えて前記チェックサムデータが含まれていた場合には該チェックサムデータに対応したカスタムパラメータ値を読み出して該カスタムパラメータ値に基づいた印刷を実行させ、前記カスタムパラメータ値が含まれていた場合には該カスタムパラメータ値に基づいた印刷を実行させる制御手段と、
を備えたことを特徴とする印刷装置。
【請求項５】
前記第２の受信手段により受信した印刷ジョブに前記カスタムパラメータ値が含まれていた場合に、該カスタムパラメータ値を所定の記憶手段に記憶させておく記憶制御手段を備えたことを特徴とする請求項４に記載の印刷装置。
【請求項６】
前記記憶制御手段は、所定の期間以上検索対象になっていない前記カスタムパラメータ値を前記記憶手段から削除することを特徴とする請求項５に記載の印刷装置。